(57)【要約】【課題】円筒管の湾曲面に、柔軟性のあるマーキング版を密着させ、インク及び塗料等を吹き付けて、滲みの無いマーキングを実現した円筒管のマーキング方法を得る。【解決手段】ロゴマーク、製品名等の表示文字データに基づいてレーザー加工機により、柔軟性のあるマーキング版に表示文字をくり抜き加工する工程と、マーキング版を柔軟性を利用して円筒管の湾曲面形状に追従させながら密着する工程と、マーキング版の上から文字表示部に向かって、インク及び塗料等を吹き付ける工程と、マーキング剤を乾燥機等で乾燥させ、円筒管表面の湾曲面にマーキング文字を施す工程と、円筒管表面の湾曲面に貼り付いたマーキング版を、屈折又は屈曲させることにより円筒管表面から剥離する工程とを備える。【選択図】図５
2008238103.tif 000002
【特許請求の範囲】
【請求項１】
ロゴマーク、製品名、ロット番号等の表示文字データを作成し、その表示文字データに基づいてレーザー加工機により、柔軟性のある材料で作製したマーキング版に所望の表示文字をくり抜き加工する工程と、
表示文字がくり抜き加工された前記マーキング版を、その柔軟性を利用して円筒管の湾曲面形状に追従させながら密着して取り付ける工程と、
前記マーキング版の上から文字表示部に向かって、インク又は他の染料及び塗料等を吹き付ける工程と、
厚膜の層となったマーキング剤を乾燥機等で乾燥させ、前記円筒管表面の湾曲面に所望のマーキング文字を施す工程と、
前記乾燥したマーキング剤により円筒管表面の湾曲面に貼り付いているマーキング版を、屈折又は屈曲させることにより円筒管表面から剥離する工程と、
を備えたことを特徴とする円筒管のマーキング方法。
【請求項２】
表示文字となる原稿をスキャニングし、これをデータ修正しながらロゴマーク、製品名、ロット番号等の表示文字データを作成し、その表示文字データに基づいてレーザー加工機により、柔軟性のある材料で作製したマーキング版に所望の表示文字をくり抜き加工する工程と、
前記マーキング版の表面に剥離性の優れた材料をコーティングする工程と、
表示文字がくり抜き加工されかつ表面にコーティングが施された前記マーキング版を、その柔軟性を利用して円筒管の湾曲面形状に追従させながら密着して取り付ける工程と、
前記マーキング版の上から文字表示部に向かって、インク又は他の染料及び塗料等を吹き付ける工程と、
厚膜の層となったマーキング剤を乾燥機等で乾燥させ、前記円筒管表面の湾曲面に所望のマーキング文字を施す工程と、
前記乾燥したマーキング剤により円筒管表面の湾曲面に貼り付いているマーキング版を、前記コーティング層による剥離性を利用しながら屈折又は屈曲させることにより円筒管表面から剥離する工程と、
を備えたことを特徴とする円筒管のマーキング方法。
【請求項３】
ロゴマーク、製品名、ロット番号等の表示文字データを作成し、その表示文字データに基づいてレーザー加工機により、柔軟性のある材料で作製したマーキング版に所望の表示文字をくり抜き加工する工程は、表示文字の一文字ずつを単位として出来るだけくり抜きせずに、縦、横、斜め等に幾つかの橋架連結部分を残した橋架連結文字として表示文字データを作成することを特徴とする請求項１又は請求項２記載の円筒管のマーキング方法。
【請求項４】
円筒管の湾曲面形状に追従させながら密着して取り付けられるマーキング版であって、
前記マーキング版は、柔軟性のある材料で作製され、円筒管の湾曲面に施されるロゴマーク、製品名、ロット番号等の表示文字がレーザー加工機により、くり抜き加工されていることを特徴とする円筒管のマーキング方法に用いるマーキング版。
【請求項５】
円筒管の湾曲面形状に追従させながら密着して取り付けられるマーキング版であって、
前記マーキング版は、柔軟性のある材料で作製され、円筒管の湾曲面に施されるロゴマーク、製品名、ロット番号等の表示文字がレーザー加工機により、くり抜き加工され、かつ表面に剥離性の優れた材料をコーティングしたことを特徴とする円筒管のマーキング方法に用いるマーキング版。
【請求項６】
円筒管の湾曲面に施されるロゴマーク、製品名、ロット番号等の表示文字は、表示文字の一文字ずつを単位として出来るだけくり抜きせずに、縦、横、斜め等に幾つかの橋架連結部分を残した橋架連結文字であることを特徴とする請求項４又は請求項５記載の円筒管のマーキング方法に用いるマーキング版。
【請求項７】
マーキング版は、天然ゴム、シリコーンゴム、フッ素ゴム、ニトリルゴム、ブチルゴムのいずれか一種又はそれらの組み合わせからなることを特徴とする請求項４〜請求項６のいずれかに記載の円筒管のマーキング方法に用いるマーキング版。
【請求項８】
円筒管の湾曲面形状に追従させながら密着して取り付けられるマーキング版の製造方法であって、
表示文字となる原稿をスキャニングし、これをデータ修正しながらロゴマーク、製品名、ロット番号等の表示文字データを作成し、その表示文字データに基づいてレーザー加工機により、柔軟性のある材料で作製したマーキング版に所望の表示文字をくり抜き加工する工程を備えたことを特徴とする円筒管のマーキング方法に用いるマーキング版の製造方法。
【請求項９】
円筒管の湾曲面形状に追従させながら密着して取り付けられるマーキング版の製造方法であって、
表示文字となる原稿をスキャニングし、これをデータ修正しながらロゴマーク、製品名、ロット番号等の表示文字データを作成し、その表示文字データに基づいてレーザー加工機により、柔軟性のある材料で作製したマーキング版に所望の表示文字をくり抜き加工する工程と、
前記マーキング版の表面に剥離性の優れた材料をコーティングする工程と、
を備えたことを特徴とする円筒管のマーキング方法に用いるマーキング版の製造方法。
【請求項１０】
ロゴマーク、製品名、ロット番号等の表示文字データを作成し、その表示文字データに基づいてレーザー加工機により、柔軟性のある材料で作製したマーキング版に所望の表示文字をくり抜き加工する工程は、表示文字の一文字ずつを単位として出来るだけくり抜きせずに、縦、横、斜め等に幾つかの橋架連結部分を残した橋架連結文字として表示文字データを作成することを特徴とする請求項８又は請求項９記載の円筒管のマーキング方法に用いるマーキング版の製造方法。
【発明の詳細な説明】
【技術分野】
【０００１】
この発明は、例えば下水道管として用いられるセメント等で作った円筒状ヒューム管、或いはセメントの代わりに酸に強い不飽和ポリエステル樹脂を使用したレジンコンクリート管やレジンコンクリートホール等の湾曲面に、インク又は他の染料及び塗料等を吹き付けて、円筒管の湾曲面にマーキングする方法、及びそれに用いるマーキング版、並びにマーキング版の製造方法に関するものである。
【背景技術】
【０００２】
従来、例えば下水道管として用いられるセメント等で作った円筒状ヒューム管、或いはセメントの代わりに酸に強い不飽和ポリエステル樹脂を使用したレジンコンクリート管やレジンコンクリートホール等の湾曲面に、インク又は他の染料及び塗料等を吹き付けて、円筒状ヒューム管の湾曲面にマーキングする場合、マーキング版として亜鉛鋼板又はその他の金属板に表示文字をくり抜いて、その版の上からくり抜いた文字部にインク又は他の染料及び塗料等を吹き付けて、円筒状ヒューム管の湾曲面にマーキングを施していた。
【０００３】
また、従来技術として、工場で生産されるＡＬＣ（軽量気泡コンクリート）製品において、ＡＬＣ製品の表面に所望事項を記載したラベルを貼着する方法が知られている（例えば、特許文献１参照）。
【０００４】
【特許文献１】特許第２７１６０１８号公報
【発明の開示】
【発明が解決しようとする課題】
【０００５】
しかし、セメント等で作った円筒状ヒューム管の湾曲面に、インク又は他の染料及び塗料等を吹き付けて、円筒状ヒューム管の湾曲面にマーキングする場合、マーキング版として亜鉛鋼板又はその他の金属板に表示文字をくり抜いて、その版の上からくり抜いた文字部にインク又は他の染料及び塗料等を吹き付けて、円筒状ヒューム管の湾曲面にマーキングする方法では、金属製のマーキング版が円筒状ヒューム管の湾曲形状にマッチしにくく、マーキング時にヒューム管とマーキング版との間に隙間が発生して、ロゴマーク、製品名、ロット番号等が滲んで、鮮明なマーキングが得られなかった。また、使用後のマーキング版は、インクと塗料等の吹き付けにより、厚膜の層となっているため、その剥離は溶剤洗浄となり、人体、環境に影響を与え、好ましいものではなかった。特に、セメント等で作られ、下水道管として使用される高耐水圧の円筒状ヒューム管においてその傾向が著しく、改善要求が強い。
【０００６】
この発明は、上述のような課題を解決するためになされたもので、例えば下水道管として用いられるセメント等で作った円筒管の湾曲面に、ゴム等の柔軟性のある材料で作製した円筒管用マーキング版を密着させ、インク又は他の染料及び塗料等を吹き付けて、滲みの無いマーキングを実現した円筒管のマーキング方法を提供するものである。
また、上記円筒管のマーキング方法に用いられ、表面にフッ素樹脂をコーティングしたマーキング版、並びにそのマーキング版の製造方法を提供するものである。
【課題を解決するための手段】
【０００７】
この発明に係る円筒管のマーキング方法においては、ロゴマーク、製品名、ロット番号等の表示文字データを作成し、その表示文字データに基づいてレーザー加工機により、柔軟性のある材料で作製したマーキング版に所望の表示文字をくり抜き加工する工程と、表示文字がくり抜き加工されたマーキング版を、その柔軟性を利用して円筒管の湾曲面形状に追従させながら密着して取り付ける工程と、マーキング版の上から文字表示部に向かって、インク又は他の染料及び塗料等を吹き付ける工程と、厚膜の層となったマーキング剤を乾燥機等で乾燥させ、円筒管表面の湾曲面に所望のマーキング文字を施す工程と、乾燥したマーキング剤により円筒管表面の湾曲面に貼り付いているマーキング版を、屈折又は屈曲させることにより円筒管表面から剥離する工程とを備えたものである。
【０００８】
また、ロゴマーク、製品名、ロット番号等の表示文字データを作成し、その表示文字データに基づいてレーザー加工機により、柔軟性のある材料で作製したマーキング版に所望の表示文字をくり抜き加工する工程は、表示文字の一文字ずつを単位として出来るだけくり抜きせずに、縦、横、斜め等に幾つかの橋架連結部分を残した橋架連結文字として表示文字データを作成するものである。
【０００９】
また、この発明に係るマーキング版においては、円筒管の湾曲面形状に追従させながら密着して取り付けられるマーキング版であって、マーキング版は、柔軟性のある材料で作製され、円筒管の湾曲面に施されるロゴマーク、製品名、ロット番号等の表示文字がレーザー加工機により、くり抜き加工されているものである。
【００１０】
また、マーキング版は、表面に剥離性の優れた材料をコーティングしたものである。
【００１１】
また、この発明に係るマーキング版の製造方法においては、円筒管の湾曲面形状に追従させながら密着して取り付けられるマーキング版の製造方法であって、表示文字となる原稿をスキャニングし、これをデータ修正しながらロゴマーク、製品名、ロット番号等の表示文字データを作成し、その表示文字データに基づいてレーザー加工機により、柔軟性のある材料で作製したマーキング版に所望の表示文字をくり抜き加工する工程を備えたものである。
【発明の効果】
【００１２】
この発明によれば、円筒管の湾曲面に、ゴム等の柔軟性のある材料で作製した円筒管用マーキング版を密着させ、インク又は他の染料及び塗料等を吹き付けて、滲みが発生しない円筒管のマーキング方法を実現することができる。また、マーキング版がゴム等の柔軟性のある材料で作製したので、屈折や屈曲させるだけで、マーキング版を簡単に剥離できる。また、マーキング版の剥離に従来のように溶剤を使用しないため、人体や環境への影響がないという効果がある。
【発明を実施するための最良の形態】
【００１３】
実施の形態１．
図１はこの発明の実施の形態１における円筒管のマーキング方法に用いるマーキング版の平面図、図２は同じくその断面図、図３は同じくその斜視図、図４はこの発明の実施の形態１における円筒管のマーキング方法により円筒管にマーキングを施している状態を示す斜視図、図５は円筒管にマーキングを施した後、マーキング版を剥離している状態を示す斜視図、図６はこの発明の実施の形態１における円筒管のマーキング方法により出来上がった円筒管を示す斜視図である。
【００１４】
１はこの発明に用いるゴム等の柔軟性のある材料で作製したマーキング版である。このマーキング版１を構成する柔軟性のある材料のゴムとしては、天然ゴム、シリコーンゴム、フッ素ゴム、ニトリルゴム、ブチルゴム等が挙げられる。そして、マーキング版１の作製に当たっては、先ず、表示文字となる原稿をスキャニングし、これをデータ修正しながら表示文字データを作成し、その表示文字データに基づいて炭酸ガスレーザー加工機により、ゴムからなるマーキング版１に所望の表示文字２をくり抜き加工する。表示文字データとしては、ロゴマーク、製品名、ロット番号等が考えられる。更に、マーキング版１の表面に撥水性があり剥離性の優れたフッ素樹脂３をコーティングすることもできる。これにより、マーキング剤の付着防止又は剥離を容易にすることができる。
【００１５】
次に、このように作製したマーキング版１を、それ自身の持つ柔軟性を利用して、例えば下水道管として用いられるセメント等で作った円筒状ヒューム管４表面の湾曲面形状に追従させながら密着して取り付ける。そして、マーキング版１の上から文字表示部２に向かって、インク又は他の染料及び塗料等を吹き付ける（図４参照）。厚膜の層となったマーキング剤を乾燥機等で乾燥させることにより、円筒状ヒューム管４表面の湾曲面に所望のマーキング文字５を施すことができる。
【００１６】
その後、インク及び塗料等の吹き付けにより、厚膜の層となったマーキング剤とともに、円筒状ヒューム管４表面の湾曲面に貼り付いているマーキング版１を、フッ素樹脂３層の剥離性を利用しながら屈折又は屈曲させることにより、従来のように環境に影響を与える溶剤を使用することなく、極めて簡単にマーキング版１を剥離することができる（図５参照）。これにより、滲みの無い所望のマーキング文字５が湾曲面に施された円筒状ヒューム管４を得ることができる（図６参照）。
【００１７】
また、従来のマーキング版は、亜鉛鋼板又はその他の金属板をエッチング法等により表示文字をくり抜いて加工していたが、この発明によるゴム等の柔軟性のある材料で作製したマーキング版の製造方法においては、表示文字となる原稿をスキャニングし、これをデータ修正しながら表示文字データを作成し、その表示文字データに基づいて炭酸ガスレーザー加工機により、ゴムからなるマーキング版１に所望のロゴマーク、製品名、ロット番号等からなる表示文字２をくり抜き加工しているので、注文に即応した文字データの作成や修正が容易となり、製品納期を著しく短縮することができる。
【００１８】
実施の形態２．
図７はこの発明の実施の形態２における円筒管のマーキング方法に用いるマーキング版の平面図、図８は同じくその断面図、図９は同じくその斜視図、図１０はこの発明の実施の形態２における円筒管のマーキング方法により円筒管にマーキングを施している状態を示す斜視図、図１１は円筒管にマーキングを施した後、マーキング版を剥離している状態を示す斜視図、図１２はこの発明の実施の形態２における円筒管のマーキング方法により出来上がった円筒管を示す斜視図である。
【００１９】
上記実施の形態１では、マーキング版１の作製に当たって、表示文字となる原稿をスキャニングし、これをデータ修正しながら表示文字データを作成し、その表示文字データに基づいて炭酸ガスレーザー加工機により、ゴムからなるマーキング版１に所望の表示文字２をくり抜き加工している。すなわち、表示文字データとしての、ロゴマーク、製品名、ロット番号等を全てくり抜き加工している。そのため、表示文字によっては、くり抜きが適さないために、見分けにくくなったり（例えば、数字の０、４、６、８、９、英字のＡ、Ｂ、Ｄ、Ｏ、Ｐ、Ｑ、Ｒ等の場合）、インク又は他の染料及び塗料等が多すぎて、表示が綺麗に現われなかったりすることが考えられる。そこで、この実施の形態２においては、所望の表示文字、すなわち、ロゴマーク、製品名、ロット番号等の一文字ずつを単位として出来るだけくり抜きせずに、縦、横、斜め等に幾つかの橋架連結部分６を残した橋架連結文字７として表示文字データを作成する。そして、その表示文字データに基づいて炭酸ガスレーザー加工機により、ゴムからなるマーキング版１に所望の橋架連結文字７を、一文字ずつを単位として部分的なくり抜き加工している。これにより、一文字単位の表示文字の殆どがくり抜き加工にされていないため、文字が見分けにくくなったり、インク又は他の染料及び塗料等が多すぎて、表示が綺麗に現われなかったりすることがなくなる。
【００２０】
次に、このように作製したマーキング版１を、それ自身の持つ柔軟性を利用して、例えば下水道管として用いられるセメント等で作った円筒状ヒューム管４表面の湾曲面形状に追従させながら密着して取り付ける。そして、マーキング版１の上から橋架連結文字部７に向かって、インク又は他の染料及び塗料等を吹き付ける（図１０参照）。厚膜の層となったマーキング剤を乾燥機等で乾燥させることにより、円筒状ヒューム管４表面の湾曲部分に所望の橋架連結文字７からなるマーキング文字８を施すことができる。
【００２１】
その後、インク及び塗料等の吹き付けにより、厚膜の層となったマーキング剤とともに、円筒状ヒューム管４表面の湾曲面に貼り付いているマーキング版１を、フッ素樹脂３層の剥離性を利用しながら屈折又は屈曲させることにより、従来のように環境に影響を与える溶剤を使用することなく、極めて簡単にマーキング版１を剥離することができる（図１１参照）。これにより、滲みの無い所望の橋架連結文字７からなるマーキング文字８が湾曲面に施された円筒状ヒューム管４を得ることができる（図１２参照）。
【００２２】
また、この発明によるゴム等の柔軟性のある材料で作製したマーキング版の製造方法においては、所望の表示文字、すなわち、ロゴマーク、製品名、ロット番号等の一文字ずつを単位として出来るだけくり抜きせずに、縦、横、斜め等に幾つかの橋架連結部分６を残した橋架連結文字７として表示文字データを作成し、その表示文字データに基づいて炭酸ガスレーザー加工機により、ゴムからなるマーキング版１に所望の橋架連結文字７を、一文字ずつを単位として部分的にくり抜き加工しているので、一文字単位の表示文字の殆どがくり抜き加工とされていないため、文字が見分けにくくなったり、インク又は他の染料及び塗料等が多すぎて、表示が綺麗に現われなかったりすることがなくなる。これにより、例えば、数字の０、４、６、８、９、英字のＡ、Ｂ、Ｄ、Ｏ、Ｐ、Ｑ、Ｒ等の中空部がある文字が含まれていても、注文に即応した文字データの作成や修正が容易となり、製品納期を著しく短縮することができる。
【００２３】
なお、上記の説明では、セメント等で作った円筒状ヒューム管４の例について説明したが、セメントの代わりに酸に強い不飽和ポリエステル樹脂を使用したレジンコンクリート管やレジンコンクリートホール等の円筒管であっても良いことは勿論である。
【図面の簡単な説明】
【００２４】
【図１】この発明の実施の形態１における円筒管のマーキング方法に用いるマーキング版の平面図である。
【図２】この発明の実施の形態１における円筒管のマーキング方法に用いるマーキング版の断面図である。
【図３】この発明の実施の形態１における円筒管のマーキング方法に用いるマーキング版の斜視図である。
【図４】この発明の実施の形態１における円筒管のマーキング方法により円筒管にマーキングを施している状態を示す斜視図である。
【図５】円筒管にマーキングを施した後、マーキング版を剥離している状態を示す斜視図である。
【図６】この発明の実施の形態１における円筒管のマーキング方法により出来上がった円筒管を示す斜視図である。
【図７】この発明の実施の形態２における円筒管のマーキング方法に用いるマーキング版の平面図である。
【図８】この発明の実施の形態２における円筒管のマーキング方法に用いるマーキング版の断面図である。
【図９】この発明の実施の形態２における円筒管のマーキング方法に用いるマーキング版の斜視図である。
【図１０】この発明の実施の形態２における円筒管のマーキング方法により円筒管にマーキングを施している状態を示す斜視図である。
【図１１】円筒管にマーキングを施した後、マーキング版を剥離している状態を示す斜視図である。
【図１２】この発明の実施の形態２における円筒管のマーキング方法により出来上がった円筒管を示す斜視図である。
【符号の説明】
【００２５】
１  マーキング版
２  表示文字
３  フッ素樹脂
４  円筒状ヒューム管
５  マーキング文字
６  橋架連結部分
７  橋架連結文字
８  マーキング文字
【図１】
2008238103.tif 000003
【図２】
2008238103.tif 000004
【図３】
2008238103.tif 000005
【図４】
2008238103.tif 000006
【図５】
2008238103.tif 000007
【図６】
2008238103.tif 000008
【図７】
2008238103.tif 000009
【図８】
2008238103.tif 000010
【図９】
2008238103.tif 000011
【図１０】
2008238103.tif 000012
【図１１】
2008238103.tif 000013
【図１２】
2008238103.tif 000014